(57)【要約】【課題】操作体及び筆記体を軸筒の開口部を介して軸筒内に挿入する際、操作体の誤挿入が発生することを回避できる多芯筆記具を提供する。【解決手段】各々の操作体８の両側壁外面に係止突起８２が形成される。各々の窓孔４１の両側壁内面に、係止突起８２が係合可能な前後方向に延びる係合壁部４２が形成される。係合壁部４２の後端が軸筒２後端より前方に位置される。開口部５が、軸筒２の後端に形成され且つ後方に開口する第１の開口部５１と、第１の開口部５１と連通され且つ径方向外方に開口する第２の開口部５２と、係合壁部４２の後端に形成され、第２の開口部５２と連通され且つ後方に開口する第３の開口部５３とを備える。第１の開口部５１の幅寸法Ｗ１、第２の開口部５２の幅寸法Ｗ２及び第３の開口部５３の幅寸法Ｗ３が、操作体８の両側壁外面の係止突起８２と係止突起８２との間の最大寸法Ｔ１より大きく形成される。【選択図】  図１
2017185805.tif 000002
【特許請求の範囲】
【請求項１】
軸筒内に複数の筆記体が前後方向に移動可能に収容され、前記各々の筆記体が弾発体により後方に付勢され、前記各々の筆記体の後端に、各々の筆記体に対応した操作体が連結され、軸筒の側壁に前後方向に延びる複数の窓孔が径方向に貫設され、前記各々の窓孔から径方向外方に前記各々の操作体が突出され、一つの操作体を窓孔に沿って前方にスライドさせることにより、その一つの操作体に連結された筆記体のペン先が軸筒の前端孔から突出されるとともに、先に突出状態にあった他の筆記体のペン先が軸筒内に没入されてなり、前記軸筒の後端部に、前記窓孔を後方に開口させる開閉自在の開口部が設けられ、前記開口部を介して操作体及び筆記体が、前記軸筒内から取り外し可能且つ前記軸筒内に挿入可能に構成され、前記軸筒後端部に、ペン先没入状態の筆記体の操作体が当接可能であり且つ前記開口部を開閉自在にする蓋部が設けられた多芯筆記具であって、
前記各々の操作体の両側壁外面に係止突起が形成され、前記各々の窓孔の両側壁内面に、前記係止突起が係合可能な前後方向に延びる係合壁部が形成され、前記係合壁部の後端が前記軸筒後端より前方に位置され、前記開口部が、前記軸筒の後端に形成され且つ後方に開口する第１の開口部と、前記第１の開口部と連通され且つ径方向外方に開口する第２の開口部と、前記係合壁部の後端に形成され、前記第２の開口部と連通され且つ後方に開口する第３の開口部とを備え、前記第１の開口部の幅寸法、前記第２の開口部の幅寸法及び前記第３の開口部の幅寸法が、前記操作体の両側壁外面の係止突起と係止突起との間の最大寸法より大きく形成されたことを特徴とする多芯筆記具。
【請求項２】
ペン先没入状態において、前記筆記体の操作体の係止突起の後端部が前記係合壁部の後端より後方に突出されてなる請求項１に記載の多芯筆記具。
【請求項３】
前記係合壁部より後方の軸筒の後端部外面に縮径部が形成され、前記縮径部の前端が前記係合壁部の後端と一致されてなる請求項１または２に記載の多芯筆記具。
【請求項４】
前記係合壁部の後端角部に凸曲面または面取りが形成される請求項１乃至３の何れかに記載の多芯筆記具。
【発明の詳細な説明】
【技術分野】
【０００１】
本発明は、多芯筆記具に関する。
【背景技術】
【０００２】
従来、特許文献１には、軸筒内に複数の筆記体を前後方向に移動可能に収容し、前記各々の筆記体を弾発体により後方に付勢し、前記各々の筆記体の後端に、各々の筆記体に対応した操作体を連結し、軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させる多芯筆記具であって、軸筒の後端に、窓孔を後方に開口させる開閉自在の開口部を設け、前記開口部を介して筆記体及び操作体を、軸筒内から取り外し可能且つ軸筒内に挿入可能に構成したことを特徴とする多芯筆記具が開示されている。
【先行技術文献】
【特許文献】
【０００３】
【特許文献１】特開２００７−３８６３５号公報
【発明の概要】
【発明が解決しようとする課題】
【０００４】
前記特許文献１の多芯筆記具は、操作体及び筆記体を軸筒の開口部を介して軸筒内に挿入する際、操作体の両側壁外面の係止突起が窓孔の内側に適正に挿入されない状態で、筆記体が軸筒内に挿入されるおそれ（即ち操作体の誤挿入が発生するおそれ）があった。この操作体の誤挿入が生じると、筆記体の出没作動が不能となるばかりか、操作体の係止突起や軸筒の外面を損傷するおそれがあった。
【０００５】
本発明は、前記従来の問題点を解決するものであって、操作体及び筆記体を軸筒の開口部を介して軸筒内に挿入する際、操作体の誤挿入が発生することを回避できる多芯筆記具を提供しようとするものである。
尚、本発明で、「前」とは、ペン先側を指し、「後」とは、その反対側を指す。本発明において、ペン先突出状態とは、ペン先が軸筒前端より外部に突出した状態を指し、ペン先没入状態とは、ペン先が軸筒内部に没入した状態を指す。
【課題を解決するための手段】
【０００６】
本願発明は、軸筒２内に複数の筆記体７が前後方向に移動可能に収容され、前記各々の筆記体７が弾発体６により後方に付勢され、前記各々の筆記体７の後端に、各々の筆記体７に対応した操作体８が連結され、軸筒２の側壁に前後方向に延びる複数の窓孔４１が径方向に貫設され、前記各々の窓孔４１から径方向外方に前記各々の操作体８が突出され、一つの操作体８を窓孔４１に沿って前方にスライドさせることにより、その一つの操作体８に連結された筆記体７のペン先７１が軸筒２の前端孔３１から突出されるとともに、先に突出状態にあった他の筆記体７のペン先７１が軸筒２内に没入されてなり、前記軸筒２の後端部に、前記窓孔４１を後方に開口させる開閉自在の開口部５が設けられ、前記開口部５を介して操作体８及び筆記体７が、前記軸筒２内から取り外し可能且つ前記軸筒２内に挿入可能に構成され、前記軸筒２後端部に、ペン先没入状態の筆記体７の操作体８が当接可能であり且つ前記開口部５を開閉自在にする蓋部９が設けられた多芯筆記具であって、前記各々の操作体８の両側壁外面に係止突起８２が形成され、前記各々の窓孔４１の両側壁内面に、前記係止突起８２が係合可能な前後方向に延びる係合壁部４２が形成され、前記係合壁部４２の後端が前記軸筒２後端より前方に位置され、前記開口部５が、前記軸筒２の後端に形成され且つ後方に開口する第１の開口部５１と、前記第１の開口部５１と連通され且つ径方向外方に開口する第２の開口部５２と、前記係合壁部４２の後端に形成され、前記第２の開口部５２と連通され且つ後方に開口する第３の開口部５３とを備え、前記第１の開口部５１の幅寸法Ｗ１、前記第２の開口部５２の幅寸法Ｗ２及び前記第３の開口部５３の幅寸法Ｗ３が、前記操作体８の両側壁外面の係止突起８２と係止突起８２との間の最大寸法Ｔ１より大きく形成されたことを特徴とする。
【０００７】
本願発明の多芯筆記具１は、前記構成により、前記第１の開口部５１、前記第２の開口部５２、第３の開口部５３の何れの開口部を介しても、操作体８及び筆記体７が軸筒２内に挿入可能となり、操作体８及び筆記体７を軸筒２の開口部５を介して軸筒２内に挿入する際、操作体８の誤挿入が発生することを回避できる。
【０００８】
また、本願発明の多芯筆記具１は、前記構成において、ペン先没入状態において、前記筆記体７の操作体８の係止突起８２の後端部が前記係合壁部４２の後端より後方に突出されてなること（即ち、係止突起８２の後端が係合壁部４２の後端より後方に位置し、且つ、係止突起８２の前端が係合壁部４２の後端より前方に位置すること）が好ましい。それにより、操作体８及び筆記体７の軸筒２内への挿入量を短くでき、誤挿入状態で軸筒２内に深く筆記体７を挿入することがなく、係止突起８２や軸筒２の損傷を防止できる。
【０００９】
また、本願発明の多芯筆記具１は、前記構成において、前記係合壁部４２より後方の軸筒２の後端部外面に縮径部４５が形成され、前記縮径部４５の前端が前記係合壁部４２の後端と一致されてなることが好ましい。それにより、第２の開口部５２の径方向の厚みが小さくなり、第２の開口部５２に係止突起８２が挿入しやすくなる。その結果、操作体８及び筆記体７をスムーズに軸筒２内に挿入でき、操作体８及び筆記体７を軸筒２の開口部５を介して軸筒２内に挿入する際、操作体８の誤挿入が発生することを回避できる。
【００１０】
また、本願発明の多芯筆記具１は、前記構成において、前記係合壁部４２の後端角部に凸曲面（Ｒ曲面）４２ａまたは面取り（傾斜面）が形成されることが好ましい。それにより、操作体８を前方にスライド操作する際に、指が係合壁部４２の後端に引っ掛かること回避し、操作体８の前方へのスムーズなスライド操作が可能となる。前記凸曲面４２ａまたは面取りの幅寸法Ｗ４は、０．１ｍｍ〜０．３ｍｍの範囲に設定されることが好ましい。
【発明の効果】
【００１１】
本発明の多芯筆記具は、操作体及び筆記体を軸筒の開口部を介して軸筒内に挿入する際、操作体の誤挿入が発生することを回避できる。
【図面の簡単な説明】
【００１２】
【図１】本発明の第１の実施の形態の軸筒後端部の開口部を閉鎖した状態を示す縦断面図である。
【図２】図１の開口部を開口させた状態の縦断面図である。
【図３】図１の軸筒の後部を示す要部正面図である。
【図４】図１の軸筒の後部を示す斜視図である。
【図５】図１の軸筒の平面図である。
【図６】図１の操作体及び筆記体の要部拡大側面図である。
【図７】図１の操作体及び筆記体の要部拡大正面図である。
【図８】図１の開口部を開口させ且つ操作体及び筆記体を取り外した状態の要部斜視図である。
【図９】図１の要部斜視図である。
【図１０】本願の第２の実施の形態の軸筒の後部を示す要部正面図である。
【図１１】図１０の軸筒の後部を示す斜視図である。
【図１２】図１０の開口部を開口させ且つ操作体及び筆記体を取り外した状態の要部斜視図である。
【図１３】図１０の軸筒に筆記体を収容し且つ軸筒後端部の開口部を閉鎖した状態を示す要部斜視図である。
【図１４】本願の第３の実施の形態の軸筒の後部を示す要部正面図である。
【図１５】図１４の軸筒の後部を示す斜視図である。
【図１６】図１４の開口部を開口させ且つ操作体及び筆記体を取り外した状態の要部斜視図である。
【図１７】図１４の軸筒に筆記体を収容し且つ軸筒後端部の開口部を閉鎖した状態を示す要部斜視図である。
【図１８】図１７の要部正面図である。
【発明を実施するための形態】
【００１３】
＜第１の実施の形態＞
本発明の第１の実施の形態を図１乃至図９に示す。
【００１４】
前記多芯筆記具１は、軸筒２内に複数本（具体的には５本）の筆記体７が前後方向に移動可能に収容されている。前記各々の筆記体７は、各々の弾発体６（具体的には圧縮コイルスプリング）により、後方に付勢されている。本実施の形態では、軸筒２内に収容する筆記体７の本数は、５本であるが、これ以外にも、例えば、２本、３本、４本、６本であってもよい。
【００１５】
（軸筒）
前記軸筒２は、先細円筒状の前軸３と、該前軸３の後端に連結される円筒状の後軸４とからなる。
【００１６】
（前軸）
前記前軸３は合成樹脂成形体または金属加工体により得られる。前記前軸３の前端には、前端孔３１が前後方向に貫設される。前記前軸３の外面は、弾性材料からなる把持部が設けられる。前記前軸３は、一部品で構成されてもよいし、複数の部品で構成されてもよい。
【００１７】
（後軸）
前記後軸４は、合成樹脂成形体または金属加工体により得られる。前記後軸４の側壁には、前後方向に延びる複数（例えば収容する筆記体７の本数と同数の５本）の窓孔４１が径方向に貫設される。前記後軸４の内壁には、スプリングの前端を支持するスプリング支持部４７が一体に形成される。前記スプリング支持部４７は、各々の筆記体７が摺動する複数の内孔を有する。前記スプリング支持部４７において、スプリングの前端が直接的または別部材を介して間接的に支持される。前記後軸４の窓孔４１は、互いに、円周方向に等間隔に配置される。前記窓孔４１の相互間の後軸４の一つの側壁には、クリップ２１が設けられる。前記後軸４は、一部品で構成されてもよいし、複数の部品で構成されてもよい。
【００１８】
（係合壁部）
前記各々の窓孔４１の両側壁内面に、前後方向に延びる係合壁部４２が形成される。前記係合壁部４２に操作体８の両側壁外面の係止突起８２が係合される。前記操作体８の係止突起８２と係合壁部４２とが互いに係合された状態において、操作体８が窓孔４１に沿って前後方向に移動可能である。
【００１９】
（係止壁部）
前記軸筒２内面には、前後方向に延びるリブよりなる係止壁部４３が形成される。筆記体７の出没作動時に、前記操作体８の係止壁部４３の径方向外面を係止突起８２が摺動する。ペン先突出状態の筆記体７において操作体８の後端が前記係止壁部４３の前端に係止される。
【００２０】
（開口部）
図８に示すように、前記各々の窓孔４１の後端には、軸筒２の後端（即ち後軸４の後端）より後方に切り欠き状に開口する開口部５が形成される。前記開口部５が、前記軸筒２の後端に形成され且つ後方に開口する第１の開口部５１と、前記第１の開口部５１と連通され且つ径方向外方に開口する第２の開口部５２と、前記係合壁部４２の後端に形成され、前記第２の開口部５２と連通され且つ後方に開口する第３の開口部５３とを備える。前記第１の開口部５１の幅寸法Ｗ１、前記第２の開口部５２の幅寸法Ｗ２、及び前記第３の開口部５３の幅寸法Ｗ３が、操作体８の両側壁外面の係止突起８２と係止突起８２との間の最大寸法Ｔ１及び筆記体の最大外径Ｔ２より大きく形成される。それにより、前記第１の開口部５１、前記第２の開口部５２、第３の開口部５３の何れの開口部を介しても、操作体８及び筆記体７（後端に操作体８が連結された状態の筆記体７）が、軸筒２内から取り外し可能且つ軸筒２内に挿入可能に構成される。本実施の形態では、前記第１の開口部５１の幅寸法Ｗ１、前記第２の開口部５２の幅寸法Ｗ２、及び前記第３の開口部５３の幅寸法Ｗ３は、それぞれ同じ寸法に形成される。
【００２１】
（縮径部）
前記係合壁部４２より後方の軸筒２後端部外面には、縮径部４５が形成される。前記縮径部４５の前端が前記係合壁部４２の後端と一致される。前記縮径部４５の前端後端と軸筒の側壁外面との間に段部４６が形成される。前記段部４６と前記係合壁部４２の後端とが同一面により形成される。また、前記段部４６により、隣接する係合壁部４２の後端の相互間が同一面により接続される。前記縮径部４５により、第２の開口部５２の径方向の厚みが小さくなり、第２の開口部５２に係止突起８２が挿入しやすくなる。それにより、操作体８及び筆記体７をスムーズに軸筒２内に挿入でき、操作体８及び筆記体７を軸筒２の開口部５を介して軸筒２内に挿入する際、操作体８の誤挿入が発生することを回避できる。
【００２２】
（筆記体）
前記各々の筆記体７は、ボールペンレフィルであり、前端にボールが回転可能に抱持されたボールペンチップ（即ちペン先７１）と、該ボールペンチップを前端に備え且つ後端が開口されたインキ収容管７２とからなる。前記インキ収容管７２の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管７２内のインキの後端には、インキの消費に伴い前進する高粘度流体からなる追従体が充填される。
【００２３】
（操作体）
前記各々の筆記体７の後端（即ちインキ収容管７２の後端開口部）には、操作体８が取り付けられる。前記各々の操作体８の操作部８１が、前記各々の窓孔４１から径方向外方に突出される。前記操作部８１を前方に押圧操作することにより、ペン先７１が突出状態となり、他の筆記体７のペン先突出状態が解除される。
【００２４】
（係止突起）
前記操作体８の両側面の外面には、係止突起８２が形成される。前記係止突起８２は、軸方向に延びるリブからなる。前記操作体８の両側壁外面の係止突起８２と係止突起８２との間の最大寸法Ｔ１は、前記第１の開口部５１の幅寸法Ｗ１、前記第２の開口部５２の幅寸法Ｗ２及び前記第３の開口部５３の幅寸法Ｗ３より小さく形成される。前記係止突起８２の軸方向の長さＬ１は、軸筒２の後端と係合壁部４２の後端との軸方向の距離Ｌ２より小さく形成される。
【００２５】
（蓋部）
前記軸筒２の後端には、前記開口部５（第１の開口部５１）を開閉自在にする蓋部９が設けられる。前記蓋部９は、ヒンジ部に回動自在に取り付けられる。前記蓋部９前面には、当接壁部９１が形成される。前記当接壁部９１に、没入状態の筆記体７の後端に連結された各々の操作体８の後端が当接される。
【００２６】
前記蓋部９の前面には、係合部９２（具体的には係合孔）が設けられ、前記後軸４の後端には、前記係合部９２と係合可能な被係合部４４（具体的には係合突起）が設けられる。前記係合部９２と前記被係合部４４とは、蓋部９が開口部５を閉鎖した際、互いに係合状態にあり、スプリングの後方への付勢による操作体８と蓋部９前面の当接壁部９１との当接では、その係合状態は解除されず、蓋部９が開くことはない。
【００２７】
（スプリング支持部）
前記後軸４の内壁には、スプリング支持部４７が一体に形成される。前記スプリング支持部４７には、各々の筆記体７が挿通される複数（具体的には５個）の内孔が軸方向に貫設されている。前記スプリング支持部４７の後面と各々の操作体８との間には、スプリングが配置される。前記各々のスプリングの内部に各々の筆記体７が遊挿される。
【００２８】
ペン先没入状態において、筆記体７の操作体８が蓋部９に当接され且つ操作体８の係止突起８２が係合壁部４２に係止される。また、ペン先没入状態において、筆記体７の操作体８の係止突起８２が前記係合壁部４２の後端より後方に突出される。（図９参照）
【００２９】
本実施の形態の多芯筆記具１は、前記各々の操作体８の両側壁外面に係止突起８２が形成され、前記各々の窓孔４１の両側壁内面に、前記係止突起８２が係合可能な前後方向に延びる係合壁部４２が形成され、前記係合壁部４２の後端が前記軸筒２後端より前方に位置され、前記開口部５が、前記軸筒２の後端に形成され且つ後方に開口する第１の開口部５１と、前記第１の開口部５１と連通され且つ径方向外方に開口する第２の開口部５２と、前記係合壁部４２の後端に形成され、前記第２の開口部５２と連通され且つ後方に開口する第３の開口部５３とを備え、前記第１の開口部５１の幅寸法Ｗ１、前記第２の開口部５２の幅寸法Ｗ２及び前記第３の開口部５３の幅寸法Ｗ３が、前記操作体８の両側壁外面の係止突起８２と係止突起８２との間の最大寸法Ｔ１より大きく形成されたことにより、前記第１の開口部５１、前記第２の開口部５２、第３の開口部５３の何れの開口部を介しても、操作体８及び筆記体７が軸筒２内に挿入可能となり、操作体８及び筆記体７を軸筒２の開口部５を介して軸筒２内に挿入する際、操作体８の誤挿入が発生することを回避できる。
【００３０】
本実施の形態の多芯筆記具１は、ペン先没入状態において、前記筆記体７の操作体８の係止突起８２の後端部が前記係合壁部４２の後端より後方に突出されてなることが好ましい。前記構成により、操作体８及び筆記体７の軸筒２内への挿入量を短くでき、誤挿入状態で軸筒２内に深く筆記体７を挿入することがなく、係止突起８２や軸筒２の損傷を防止できる。
【００３１】
本実施の形態の多芯筆記具１は、前記係合壁部４２より後方の軸筒２の後端部外面に縮径部４５が形成され、前記縮径部４５の前端が前記係合壁部４２の後端と一致されてなることが好ましい。それにより、第２の開口部５２の径方向の厚みが小さくなり、第２の開口部５２に係止突起８２が挿入しやすくなる。その結果、操作体８及び筆記体７をスムーズに軸筒２内に挿入でき、操作体８及び筆記体７を軸筒２の開口部５を介して軸筒２内に挿入する際、操作体８の誤挿入が発生することを回避できる。
【００３２】
＜第２の実施の形態＞
本発明の第２の実施の形態を図１０乃至図１３に示す。
本実施の形態の多芯筆記具は、第１の実施の形態の変形例であり、各々の係合壁部４２の後端角部に凸曲面４２ａが形成される。それにより、操作体８の操作部８１を前方にスライド操作する際に、指が係合壁部４２の後端に引っ掛かることを回避し、操作体８を前方にスムーズにスライド操作できる。前記凸曲面４２ａの幅寸法Ｗ４（凸曲面４２ａの曲率半径）は０．２５ｍｍに設定される。尚、他の構成は、第１の実施の形態と共通であるため、説明を省略する。
【００３３】
＜第３の実施の形態＞
本発明の第３の実施の形態を図１４乃至図１８に示す。
本実施の形態の多芯筆記具は、第２の実施の形態の変形例であり、窓孔４１相互間の軸筒２の後端部外面が、略同一の外径を有し、第２の実施の形態の縮径部４５及び段部４６が存在しない構成である。本実施の形態は、第２の実施の形態と同様、各々の係合壁部４２の後端角部に凸曲面４２ａが形成される。それにより、操作体８の操作部８１を前方にスライド操作する際に、指が係合壁部４２の後端に引っ掛かることを回避し、操作体８を前方にスムーズにスライド操作できる。また、本実施の形態の多芯筆記具は、窓孔４１相互間の軸筒２の後端部外面が、略同一の外径を有するため、より一層、操作体８を前方にスムーズにスライド操作できる。前記凸曲面４２ａの幅寸法Ｗ４（凸曲面４２ａの曲率半径）は０．２５ｍｍに設定される。尚、他の構成は、蓋部９の外形状が異なる点を除き、第１の実施の形態及び第２の実施の形態と共通であるため、説明を省略する。
【符号の説明】
【００３４】
１  多芯筆記具
２  軸筒
２１  クリップ
３  前軸
３１  前端孔
４  後軸
４１  窓孔
４２  係合壁部
４２ａ  凸曲面
４３  係止壁部
４４  被係合部
４５  縮径部
４６  段部
４７  スプリング支持部
５  開口部
５１  第１の開口部
５２  第２の開口部
５３  第３の開口部
６  弾発体
７  筆記体
７１  ペン先
７２  インキ収容管
８  操作体
８１  操作部
８２  係止突起
９  蓋部
９１  当接壁部
９２  係合部
Ｌ１  係止突起の軸方向の長さ
Ｌ２  軸筒の後端と係合壁部の後端との軸方向の距離
Ｗ１  第１の開口部の幅寸法
Ｗ２  第２の開口部の幅寸法
Ｗ３  第３の開口部の幅寸法
Ｔ１  係止突起と係止突起との間の最大寸法
Ｔ２  筆記体の最大外径
【図１】
2017185805.tif 000003
【図２】
2017185805.tif 000004
【図３】
2017185805.tif 000005
【図４】
2017185805.tif 000006
【図５】
2017185805.tif 000007
【図６】
2017185805.tif 000008
【図７】
2017185805.tif 000009
【図８】
2017185805.tif 000010
【図９】
2017185805.tif 000011
【図１０】
2017185805.tif 000012
【図１１】
2017185805.tif 000013
【図１２】
2017185805.tif 000014
【図１３】
2017185805.tif 000015
【図１４】
2017185805.tif 000016
【図１５】
2017185805.tif 000017
【図１６】
2017185805.tif 000018
【図１７】
2017185805.tif 000019
【図１８】
2017185805.tif 000020